(57)【要約】【課題】スピーカ収容部をフロントパネル本体に備えることで、フロントパネルの生産性の向上を図ると共に、簡易に浴室内にスピーカを設置することが可能な浴室空調装置を提供する。【解決手段】浴室空調装置１Ａのフロントパネル４は、フロントパネル本体１２と、その本体内面にスピーカ３１を収容するスピーカ収容部３２とから構成される。フロントパネル本体１２とスピーカ収容部３２とは一体化して形成される。これにより、別途スピーカ３１用の開口孔を側壁や天井面に新たに施工する必要がなく、施工性の向上を図ることができる。【選択図】図１
2008190765.tif 000002
【特許請求の範囲】
【請求項１】
浴室内の空気を吸い込む吸込部と、浴室内に空気を吹き出す吹出部とが設けられた浴室空調装置本体と、前記浴室空調装置本体の前記浴室に露出する面を覆うフロントパネルとを備える浴室空調装置であって、
前記フロントパネルは、フロントパネル本体と、その本体内面にスピーカを収容するスピーカ収容部とを有し、
前記フロントパネル本体と前記スピーカ収容部とが一体化されて構成された
ことを特徴とする浴室空調装置。
【請求項２】
浴室内の空気を吸い込む吸込部と、浴室内に空気を吹き出す吹出部とが設けられた浴室空調装置本体と、前記浴室空調装置本体の前記浴室に露出する面を覆うフロントパネルと、スピーカを収容するスピーカ収容部とを備え、該スピーカ収容部を前記フロントパネルに取り付けたことを特徴とする浴室空調装置。
【請求項３】
前記スピーカ収容部は、
前記フロントパネル本体の両端部のそれぞれに設けられていること
を特徴とする請求項１または２に記載の浴室空調装置。
【請求項４】
前記フロントパネル本体と前記スピーカ収容部とは仕切り部材によって仕切られ、
前記仕切り部材には、前記スピーカに接続されるケーブル線を前記フロントパネル本体側に引き出すための配線用孔が形成されると共に、
前記ケーブル線は、封止部材を介して前記配線用孔に装着される
ことを特徴とする請求項１または２に記載の浴室空調装置。
【請求項５】
前記スピーカ収容部は前記封止部材によって密閉されている
ことを特徴とする請求項４に記載の浴室空調装置。
【発明の詳細な説明】
【技術分野】
【０００１】
本発明は浴室空調装置に関する。詳細には、空間部を有するスピーカ収容部をフロントパネル本体と一体化して形成することで、製造工程を簡略化して生産性及び施工性の向上を図ると共に、スピーカからの天井裏面への音漏れ防止を図った浴室空調装置に関する。
【背景技術】
【０００２】
従来から、浴室には、浴室内の換気を行う換気モードを備えた浴室空調装置が設置されている。さらには、浴室内を温める暖房モード、浴室内に送風を供給する涼風モードや浴室内に吊るした衣類等を乾燥する乾燥モードを備えた浴室空調装置も広く普及している。
【０００３】
また、近年、浴室内に防水加工されたスピーカを取り付けることにより、入浴中に音楽を視聴して楽しむことを可能とするオーディオシステムが提案されている。例えば、特許文献１には、音声出力用の２個のスピーカと音声信号を増幅してスピーカに出力する増幅器とを備えるオーディオシステムと浴室空調装置とが一体化された装置が開示されている。
【０００４】
【特許文献１】特開２００１−１５７６４２号公報
【発明の開示】
【発明が解決しようとする課題】
【０００５】
しかしながら、特許文献１に開示される浴室の音響装置では、天井面にスピーカ装置用の開口孔を形成し、この開口孔にスピーカ装置（少なくともスピーカを含む）を挿入することにより天井面にスピーカ装置を取り付けている。そのため、浴室空調装置用の開口孔とは別にスピーカ装置用の開口孔を浴室の側壁や天井に施工しなければならない。これにより、作業工程が増え、作業者の負担が増大してしまうという問題がある。
【０００６】
さらに、スピーカを天井面に直接取り付ける場合には、スピーカから発生する音が天井裏に漏れてしまうため、特にマンション等の集合住宅では騒音の問題が発生する可能性がある。
【０００７】
本願発明は、上記課題に鑑みてなされたものであり、その目的は、スピーカ収容部をフロントパネル本体に備えることで、簡易に浴室内にスピーカを設置することが可能な浴室空調装置を提供することにある。
【課題を解決するための手段】
【０００８】
本願発明の浴室空調装置は、浴室内の空気を吸い込む吸込部と、浴室内に空気を吹き出す吹出部とが設けられた浴室空調装置本体と、前記浴室空調装置本体の前記浴室に露出する面を覆うフロントパネルとを備える浴室空調装置であって、前記フロントパネルは、フロントパネル本体と、スピーカを収容するためのスピーカ収容部とを有し、前記フロントパネル本体と前記スピーカ収容部とが一体化されて構成されたものである。本願発明においてスピーカ装置とは、スピーカ単体、スピーカに増幅器等の電子機器を接続した複合体のいずれかを言うものとする。
【０００９】
また本願発明の浴室空調装置は、浴室内の空気を吸い込む吸込部と、浴室内に空気を吹き出す吹出部とが設けられた浴室空調装置本体と、前記浴室空調装置本体の前記浴室に露出する面を覆うフロントパネルと、スピーカを収容するスピーカ収容部とを備え、該スピーカ収容部を前記フロントパネルに取り付けたことを特徴とする。
【００１０】
スピーカ収容部は、前記フロントパネル本体の両端部のそれぞれに取り付けられる。
【００１１】
本発明では、スピーカ収容部がフロントパネルに一体化されているため、別途スピーカ収容部用の開口孔を天井面に新たに施工する必要がない。また、浴室空調装置本体にフロントパネルを装着すれば、スピーカ備え付け作業も終了するので、設置作業も簡単になる。
【００１２】
フロントパネル本体とスピーカ収容部との間は仕切り部材によって仕切られる。仕切り部材には、スピーカに接続されるケーブル線をフロントパネル本体側に引き出すための配線用孔が形成され、ケーブル線は、封止部材を介して配線用孔に装着される。スピーカ収容部はこの封止部材によって密閉される。
【００１３】
このスピーカ収容部はフロントパネル本体に取り付けられているため、換言すれば、天井の開口孔にスピーカ装置が直接取り付けられていないために、スピーカ装置から出力される音楽等の天井パネル裏面への音声の音漏れが低減される。これにより、天井裏を通じた他室への音漏れを防止でき、騒音等の問題を有効に回避できる。従って、マンション等の集合住宅において特にその効果が大きい。
【発明の効果】
【００１４】
本発明によれば、スピーカ装置を浴室内に取り付ける場合には、別途スピーカ装置を配線するための開口孔を側壁や天井面に新たに施工する必要がない。従って、スピーカ装置の取り付け作業において、施工性の向上を図ることができ、従来と比較して作業者の負担軽減を図ることができる。
【発明を実施するための最良の形態】
【００１５】
［第１の実施の形態］
以下、本発明の実施形態につき、図面を参照して説明する。
【００１６】
（浴室空調装置の構成）
図１（ａ）は本発明の一実施形態に係る浴室空調装置１Ａの構成を示す断面図であり、図１（ｂ）は領域Ｃの拡大図断面図である。図２は、浴室空調装置１Ａの構成を示す斜視図である。
【００１７】
本実施形態に係る浴室空調装置１Ａは、浴室の天井パネルに設置される浴室空調装置本体２と、この浴室空調装置本体２を浴室の天井パネルに取り付けた際に浴室に露出する面（下面）を覆うフロントパネル４からなる。フロントパネル４は、フロントパネル本体１２と、その本体内面側にスピーカ装置を収容するスピーカ収容部３２とからなる。スピーカ収容部３２にはスピーカ装置が収容される。本例では、スピーカ装置はスピーカ３１のみで構成されている場合を示す。
【００１８】
浴室空調装置１Ａは、浴室内の空気を吸い込んで、温風を吹き出す暖房モードや吸い込んだ空気を屋外に排出する換気モードを備える。
【００１９】
浴室空調装置本体２は、その下面にファン吸込口２０ａと吹出口２０ｂを有するファン部２１を備える。
【００２０】
ファン部２１は、回転駆動される多翼のファン２２と、ファン２２を回転駆動するファンモータ２２ａと、ファン２２の軸方向から空気を吸い込んで、ファン２２の接線方向に吹き出す風路を形成するファンケース２３とを備える。
【００２１】
ファン吸込口２０ａは、浴室内の空気を吸い込む吸込部として機能し、ファン２２の軸方向に沿うようにファンケース２３の下面に形成される。ファン２２が回転駆動されると、ファン吸込口２０ａから空気が吸い込まれる。
【００２２】
吹出口２０ｂは、ファン吸込口２０ａから吸い込んだ空気を浴室内に吹き出す吹出部として機能し、ファン２２の接線方向に沿った風路を形成するファンケース２３の下端面に形成される。ファン２２が回転駆動されると、ファン吸込口２０ａから吸い込まれた空気が浴室内に吹き出される。
【００２３】
ファン部２１には、ファン２２の接線方向に沿った風路を形成するファンケース２３の一の側面に排出口２０ｃが形成される。さらに、このファン部２１には、ファン吸込口２０ａから吸い込まれた空気を、吹出口２０ｂから浴室に吹き出すか、排出口２０ｃから屋外に排出するかを切り替える風路切換ダンパ２４が設けられる。排出口２０ｃは、ファン吸込口２０ａから吸い込んだ空気を浴室外に排出する排気部として機能する。
【００２４】
風路切換ダンパ２４は、図示しないダンパモータの駆動力がカム２４ａを介して伝達され、ダンパ軸２４ｂを支点に回動して開閉動作が行われる。風路切換ダンパ２４を図１に実線で示す循環位置に切り換えると、排出口２０ｃへの風路が遮断され、ファン吸込口２０ａから吹出口２０ｂへ連通した循環風路２５ａが形成される。
【００２５】
また、風路切換ダンパ２４を図１に二点鎖線で示す換気位置に切り換えると、吹出口２０ｂへの風路が遮断され、ファン吸込口２０ａから排出口２０ｃへ連通した換気風路２５ｂが形成される。
【００２６】
さらに、風路切換ダンパ２４を図１に破線で示す分流位置に切り換えると、ファン吸込口２０ａから吹出口２０ｂへ連通した循環風路２５ａと、ファン吸込口２０ａから排出口２０ｃへ連通した換気風路２５ｂの双方が形成される。
【００２７】
ここで、上述した浴室空調装置本体２としては、循環ファン部と換気ファン部とを一体化した構成を説明したが、循環ファン部と換気ファン部を別々に設けて循環風路と換気風路を独立した構成にしても良い。
【００２８】
浴室空調装置本体２は、図１（ａ）に示すように、吹出口２０ｂに設置されたヒータ２６とヒータ２６の下方に設置された電動ルーバ２７とを備える。ヒータ２６としては、吹出口２０ｂにＰＴＣヒータ等の電気ヒータが使用される。電動ルーバ２７は、図示しない複数枚の整流板がルーバモータで駆動されて、整流板の向きを変えることで、空気の吹き出し方向が切り換えられる。
【００２９】
浴室空調装置本体２は、ファンケース２３を覆う本体ケース２８を備える。本体ケース２８は、ファンケース２３のファン吸込口２０ａと吹出口２０ｂが形成された下面を除く４側面と上面を覆う形状で、ファンケース２３の排出口２０ｃと対向する位置に形成された開口部には排出ダクトジョイント２８ａが取り付けられる。
【００３０】
フロントパネル４は、図１および図２に示すように、フロントパネル本体１２と、フロントパネル本体１２の両端部に取り付けられるスピーカ収容部３２，３２とを備える。スピーカ収容部３２，３２の内部にはスピーカ３１，３１が配設される。なお、左右の各スピーカ収容部３２，３２およびこれらの内部に収容される各スピーカ３１，３１は左右同一構成であるため、以下の説明では左側のスピーカ収容部３２およびスピーカ３１についてのみ説明する。
【００３１】
フロントパネル本体１２は、一方の面が開口され、浴室空調装置本体２の下面全体を覆うように形成された筐体であり、開口側を天井面に当接させるようにして、図示しないねじ等の取付部材によって浴室空調装置本体２や天井面に取り付け固定される。フロントパネル本体１２には、浴室内の空気を吸い込むための吸込口グリル４０ａと浴室空調装置本体２から浴室内に空気を吹き出す吹出口グリル４０ｂとが形成される。吸込口グリル４０ａは浴室内の空気を吸い込む吸込部の一部として機能し、フロントパネル４が浴室空調装置本体２に取り付けられると、吸込部の他部として機能するファン吸込口２０ａと連通される。また、吹出口グリル４０ｂは浴室内に空気を吹き出す吹出部の一部として機能し、フロントパネル４が浴室空調装置本体２に取り付けられると、吹出部の他部として機能する吹出口２０ｂと連通される。また、フロントパネル本体１２には、吸込口グリル４０ａの裏側にフィルタ４０ｃが交換可能に取り付けられる。
【００３２】
スピーカ収容部３２，３２は、図１および図２に示すように、浴室空調装置１Ａの長手方向の両端部のそれぞれに設けられる。このスピーカ収容部３２は、浴室空調装置１Ａの短手方向の長さを有する略直方体状をなす筐体であり、フロントパネル本体１２の一部を構成する。スピーカ収容部３２とフロントパネル本体１２との間に立設された部材８８は筐体の一部であるが、仕切り部材としても機能する。
【００３３】
スピーカ収容部３２の下面の略中央部には、図１（ｂ）および図２に示すように、スピーカ３１を下面側から嵌め込んで取り付けるための開口部４１が穿設される。さらに、スピーカ収容部３２の側面部を構成する部材８８には、スピーカ収容部３２の内部に設置されるスピーカ３１のケーブル線３０をフロントパネル本体１２側に引き出すための取出孔（配線用孔）３３が穿設される。
【００３４】
スピーカ収容部３２に取り付けられるスピーカ３１がコーン型スピーカである場合には、図１（ｂ）に示すように、ラッパ状のコーン部３１ａと、このコーン部３１ａの下端縁に設けられた外方向に突出するスピーカ取付フランジ１４を有する。スピーカ取付フランジ１４は、コーン部３１ａと一体形成でも良いし、別体形成でも良い。
【００３５】
また、スピーカ３１は、スピーカ取付フランジ１４および開口部４１周縁の切り欠き部のそれぞれに穿設された連結孔にねじ１５等を挿通することで、スピーカ収容部３２に取り付け固定される。スピーカ３１のコーン部３１ａ表面は、防水、防湿処理されている。スピーカ収容部３２は外部に露出し、浴室内の湿気に直接触れるためである。
【００３６】
このように、スピーカ収容部３２は、上述した開口部４１および取出孔３３を除いては筐体に覆われた密閉構造となっており、開口部４１にスピーカ３１が装着され、取出孔３３にケーブル線３０が防水手段である封止部材１１０を介して装着されることで、スピーカ収容部３２の内部が密閉された空間となり、防水効果が得られる。
【００３７】
次に、浴室空調装置本体２に穿設された中継用ケーブル線１０を敷設するための挿通孔３６，３７（配線用孔）等について説明する。図３は、中継用ケーブル線１０を使用する場合の挿通孔３６，３７の拡大図であり、図３（ａ）は図１に示す領域Ａの要部拡大図であり、図３（ｂ）は図１に示す領域Ｂの要部拡大図である。図４は、図３に示す挿通孔３６部分の構成を示す分解斜視図である。図５は、中継用ケーブル線１０を使用しない場合の挿通孔３６，３７の拡大図であり、図５（ａ）は図１に示す領域Ａの要部拡大図であり、図５（ｂ）は図１に示す領域Ｂの要部拡大図である。図６は、図５に示す挿通孔３６部分の構成を示す分解斜視図である。
【００３８】
浴室空調装置本体２は、図１の領域Ａを拡大して示す図３（ａ）および図３（ｂ）から明らかなように、浴室内に取り付けられるスピーカ装置に対するケーブル線を本体ケース２８の内部を介して敷設させるための挿通孔（配線用孔）３６，３７と、このケーブル線を敷設するための専用の領域となる空間部１００（図１参照）とを備える。本例では、スピーカ装置の一例としてスピーカを浴室内に取り付ける場合について説明する。
【００３９】
空間部１００は、本体ケース２８の内周面２８ｂとファンケース２３の外周面２３ｂとによって囲まれた空間領域であり、浴室内から吸い込んだ空気や吐き出す空気の流れを乱さないようにファン吸込口２０ａ、吹出口２０ｂおよび排出口２０ｃが形成されていない空間領域が空間部１００として設定される。本例では、図１にも示すように、ファンケース２３の外周面２３ｂと本体ケース２８の内周面２８ｂとの間の風路が形成されていない装置本体内部の端部領域が空間部１００として設定される。
【００４０】
挿通孔３６は、図３（ａ）に示すように、この例では空間部１００を構成する本体ケース２８の上面部に穿設される。他方の挿通孔３７は、図３（ｂ）に示すように、この例では空間部１００を構成するファンケース２３の底面部に穿設される。これらの挿通孔３６，３７は、ケーブル線や後述するコネクタおよびゴムパッキンに対応した形状に穿設されており、本例では平面視矩形状に穿設される（図４参照）。挿通孔３６，３７の形状は、ケーブル線やコネクタを挿通できるような形状であれば良く、図示の矩形状に限定されることはない。例えば円形状等の形状であっても良い。
【００４１】
本体ケース２８外面の挿通孔３６の周縁部には、図３（ａ）および図４に示すように、挿通孔３６の外径よりも若干径大の切り欠き部（段部）８６が形成される。この切り欠き部８６は、封止部材として機能する後述のシール蓋８４を着脱自在に装着するための凹部として機能する。一方、挿通孔３６の本体ケース２８内面側には、この周縁を囲繞する下方向に突出した突出部８７が形成される。突出部８７は挿通孔３６内に装着固定される後述のコネクタ３４ａを確実に固定するための支持領域として機能する。図３（ｂ）に示すように、ファンケース２３の底面部側に穿設された挿通孔３７の周縁部にも同様な切り欠き部８６および突出部８７が形成されている。
【００４２】
また浴室空調装置本体２は、図１に示すように、空間部１００に敷設された中継用ケーブル線１０を備える。中継用ケーブル線１０は、上述したスピーカに対して配線されたケーブル線の一例であり、浴室内の天井面に取り付けられるスピーカのケーブル線と浴室外の天井裏に設置される増幅器等のケーブル線とを浴室空調装置本体２内部を介して接続するために予め敷設された中継線である。後述するように、本例では、チューナ等から出力される音声出力を２個のスピーカを用いてステレオ再生するため、これに対応して２本の中継用ケーブル線１０が敷設されている。図３（ａ）および図３（ｂ）に示すように、２本の中継用ケーブル線１０の両端部のそれぞれにはスピーカのケーブル線３０と増幅器等のケーブル線４８とを接続するため、一端にはオス型コネクタ３４ａが，他端にはメス型コネクタ３５ａが取り付けられる。
【００４３】
中継用ケーブル線１０のオス型コネクタ（第１のコネクタ）３４ａは、挿通孔３６の孔周面とオス型コネクタ３４ａの外周面との間に介挿された支持部材３８を介して、挿通孔３６の所定位置に装着固定される。同様に、他端部のメス型コネクタ（第２のコネクタ）３５ａも挿通孔３７の位置に支持部材３８を介して装着固定される。支持部材としては、例えば、これらの間隙を埋めるために伸縮自在な弾性材料であって、天井裏に浴室内の湿気が漏れ出さないような防水、防湿処理された材料が用いられる。本例では防水、防湿処理されたゴムパッキン３８が用いられている。浴室内から浴室空調装置本体２の内部に吸い込まれた空気（湿気）が挿通孔３６，３７から天井裏に漏れ出すことを防止できるので、カビ等の発生を抑制できる。ゴムパッキン３８によってオス型コネクタ３４ａ，メス型コネクタ３５ａを挿通孔３６，３７の位置で固定することで、中継用ケーブル線１０を予め空間部１００の所定位置に設置（敷設）できる。
【００４４】
次に、上述した浴室空調装置本体２の空間部１００に敷設された中継用ケーブル線１０を介して、スピーカのケーブル線３０と増幅器のケーブル線４８とを互いに接続する場合について説明する。図３（ｂ）に示すように、挿通孔３７の所定位置に装着固定されたメス型コネクタ３５ａに、スピーカに接続されたケーブル線３０の一端に取り付けられたオス型コネクタ３０ａを接続（接続）する。スピーカに接続されるケーブル線３０は、図１および後述する図１２に示すように、ファン吸込口２０ａや吹出口２０ｂを避けたファンケース２３の下面に沿った経路に敷設し、図示しない固定部材でケーブル線３０の撓み部分をファンケース２３に固定することが好ましい。同様に、図３（ａ）に示すように、挿通孔３６の位置に固着されたオス型コネクタ３４ａに、増幅器に接続されたケーブル線４８の一端に取り付けられたメス型コネクタ４８ａを接続する。これにより、例えば浴室内の天井面に取り付けられるスピーカと、浴室外の天井裏に設置される増幅器等とを、ケーブル線３０，４８を用いて浴室空調装置本体２内部に配設された中継用ケーブル線１０を介して電気的に接続できる。
【００４５】
中継用ケーブル線１０は、浴室空調装置本体２の空間部１００に常時敷設されているものであるから、スピーカを備えていない浴室空調装置本体２を使用する場合であっても中継用ケーブル線１０は取り外されることはない。従って、中継用ケーブル線１０を使用しない場合には、図５（ａ）、図５（ｂ）および図６に示すように、本体ケース２８の外側からコネクタ保護用のシール蓋８４（封止部材）を切り欠き部８６に装着して挿通孔３６，３７の外面側を被覆する。シール蓋８４は、切り欠き部８６と挿通孔３６を隙間無く閉塞可能な形状であって、防水、防湿処理がされた弾性部材が使用される。これにより、ゴムパッキン３８と共に挿通孔３６，３７が封止され、浴室内から吸い込まれる水分を含む空気（湿気）が挿通孔３６，３７から天井裏に漏れ出すことを防止できる。中継用ケーブル線１０を使用するときにはシール蓋８４を外すのはもちろんである。
【００４６】
（浴室空調装置の設置例）
次に、上述した浴室空調装置１Ａの設置例について、図７を参照して説明する。図７は、浴室空調装置１Ａを浴室１０１の天井パネル１０２に取り付けた状態を示す図である。
【００４７】
浴室空調装置本体２は、図７に示す浴室１０１の天井パネル１０２に形成された開口部に挿入されて、天井パネル１０２に本体フランジ３９を介して図示しないねじ等の取り付け部材で固定される形態で、または、図示しない吊り下げ金具で天井裏に吊り下げられる形態で設置される。図７に示すように、この例では浴室空調装置本体２が、浴槽１０１ａの上方に位置する天井パネル１０２に固定される。
【００４８】
浴室空調装置本体２には、スピーカ収容部３２が一体に形成されたフロントパネル４が図示しないねじ等の取付部材によって取り付けられ、浴室空調装置本体２がフロントパネル４によってマスクされている。
【００４９】
天井パネル１０２に取り付けられた浴室空調装置本体２の側面部２ａには排出ダクトジョイント２８ａ（図１（ａ）参照）を介して排気ダクト１０３が連結され、その先端部が外壁１０４を貫通して屋外に突出している。排気ダクト１０３の先端部には、外壁１０４に取り付けられた屋外グリル１０３ａが連結される。これにより、浴室１０１等から吸い込んだ空気は、排出ダクトジョイント２８ａおよび排気ダクト１０３を介して屋外グリル１０３ａから屋外に排気される。
【００５０】
浴室空調装置１Ａは、本体用制御部５６と本体用操作パネル５８とを備える。本体用制御部５６は、浴室空調装置本体２の内部に設けられ、浴室空調装置本体２全体の制御を行う。本体用操作パネル５８は、洗面脱衣所５２の壁面に設置されると共にケーブル線を介して本体用制御部５６に接続される。本体用操作パネル５８には、例えば、モード切替ボタン、温度設定ボタン、時間設定ボタン、表示部等が設けられる。本体用操作パネル５８の所定のボタンが押下されると、これに対応した操作信号が本体用制御部５６に供給され、この操作信号に基づいて、浴室空調装置本体２の換気モードや暖房モードなどの切り替え処理が行われる。
【００５１】
また浴室空調装置１Ａは、図示しないラジオ、ＴＶチューナやＣＤプレーヤ等のオーディオ音源とオーディオ用操作パネル６６とオーディオ用制御部６４と増幅器６２とを備える。オーディオ用操作パネル６６は、洗面脱衣所５２の壁面に上述した本体用操作パネル５８に隣接して設置され、ケーブル線を介して増幅器６２に接続される。オーディオ用操作パネル６６には、例えば、音源切り替えボタン、選局ボタンや音量ボタンが設けられる。また、オーディオ用操作パネル６６は、図示しない入力端子を有しており、テレビ、ラジオチューナやＣＤプレーヤ等の音声出力装置が接続される。オーディオ用制御部６４と増幅器６２とは一体化された状態で、この例では天井パネル１０２裏面に設置される。増幅器６２と、上述した浴室空調装置本体２内部に配設される中継用ケーブル線１０とはケーブル線４８によって連結される。この中継用ケーブル線１０によっても増幅器６２は左右のスピーカ３１，３１に接続される。オーディオ用操作パネル６６の所定のボタンが押下されると、例えばＴＶ、ラジオチューナやＣＤプレーヤの切り替え、または放送番組や曲の選局が行われ、これに対応した音声信号が増幅器６２に供給される。増幅器６２では供給された音声信号が増幅されて左右のスピーカ３１，３１に供給され、スピーカ３１，３１から浴室内に音楽等の音声が出力される。
【００５２】
（浴室空調装置の動作）
次に、上述した浴室空調装置１Ａの動作例について、図１〜図７を参照して説明する。浴室空調装置１Ａでは、ファンモータ２２ａによりファン２２が回転駆動されると、フロントパネル４の吸込口グリル４０ａからファン吸込口２０ａに浴室１０１の空気ＲＡが吸い込まれる。
【００５３】
風路切換ダンパ２４の位置が、図１に実線で示す循環位置であると、ファン吸込口２０ａから吹出口２０ｂへの循環風路２５ａが形成されるので、吸込口グリル４０ａから吸い込まれた空気ＲＡは、循環風路２５ａを通ってフロントパネル４の吹出口グリル４０ｂから吹き出される。
【００５４】
ヒータ２６は、循環風路２５ａの吹出口２０ｂに配置されるので、ヒータ２６が通電されることで、循環風路２５ａを通る空気が温められて、温風ＨＡが吹出口グリル４０ｂから吹き出す。
【００５５】
これにより、暖房運転モードでは、風路切換ダンパ２４を循環位置に移動させて、ファン部２１を駆動すると共に、ヒータ２６に通電することで、浴室１０１の空気を循環させながら、浴室１０１内に温風ＨＡが吹き出される。
【００５６】
また、涼風運転モードでは、風路切換ダンパ２４を循環位置に移動させて、ヒータ２６は非通電でファン部２１を駆動することで、浴室１０１の空気を循環させながら、浴室１０１内に室温に応じた送風が吹き出される。
【００５７】
風路切換ダンパ２４の位置が、図１に二点鎖線で示す換気位置であると、ファン吸込口２０ａから排出口２０ｃへの換気風路２５ｂが形成されるので、フロントパネル４の吸込口グリル４０ａから吸い込まれた空気は、換気風路２５ｂを通って排出口２０ｃから排気される。
【００５８】
これにより、換気運転モードでは、風路切換ダンパ２４を換気位置に移動させて、ファン部２１を駆動することで、浴室１０１内の湯気や湿気が排気される。
【００５９】
風路切換ダンパ２４の位置が、図１に破線で示す分流位置であると、ファン吸込口２０ａから吹出口２０ｂへの循環風路２５ａと、ファン吸込口２０ａから排出口２０ｃへの換気風路２５ｂの双方が形成されるので、フロントパネル４の吸込口グリル４０ａから吸い込まれた空気は、一部は循環風路２５ａを通って吹出口グリル４０ｂから浴室１０１内に吹き出される。
【００６０】
また、吸込口グリル４０ａから吸い込まれた空気の残部は、換気風路２５ｂを通って排出口２０ｃから排気される。
【００６１】
これにより、乾燥運転モードでは、風路切換ダンパ２４を分流位置に移動させて、ファン部２１を駆動すると共に、ヒータ２６に通電することで、浴室１０１の空気の一部を循環させて浴室１０１内に温風ＨＡを吹き出しながら、浴室１０１内の湯気や湿気が排気される。
【００６２】
なお、涼風運転モードとして、風路切換ダンパ２４を分流位置に移動させ、ヒータ２６は非通電でファン部２１を駆動することで、浴室１０１の空気の一部を循環させて浴室１０１内に室温に応じた送風を吹き出しながら、浴室１０１内の湯気や湿気が排気されるようにしても良い。これらの運転モードとは独立してオーディオ系の動作が、オーディオ用操作パネル６６の指示にしたがって実行される。この指示は入浴する前に行われることが多い。
【００６３】
本実施の形態によれば、フロントパネル本体１２とスピーカ収容部３２とが一体化されて構成されるため、スピーカ収容部３２を従来のフロントパネル本体１２と同一工程により形成できる。すなわち、スピーカ収容部３２をフロントパネル本体１２の一部分（側面部）として製造できるため、製造工程が簡略化され、生産性の向上を図ることができる。これにより、スピーカ収容部３２を別途に形成してフロントパネル本体１２に取り付ける場合と比較して低コスト化を図ることができる。
【００６４】
また、本実施の形態によれば、スピーカ収容部３２がフロントパネル４に一体化されているため、別途スピーカ収容部３２用の開口孔を天井パネル１０２に新たに施工する必要がない。また、浴室空調装置本体２にフロントパネル４を装着すれば、スピーカ収容部３２の備え付け作業も終了するので、設置作業も簡単になる。
【００６５】
また、浴室空調装置１Ａの設置当初は浴室１０１内にスピーカ３１を設置していない場合でも、設置当初の既存のフロントパネルを上述したスピーカ収容部３２を有するフロントパネル４に交換すれば、浴室１０１内にスピーカ３１を後付けで設置できる。このとき、スピーカ３１を取り付けるための開口孔は形成する必要がないため、追加工事（拡張工事）等を省略できる。これにより、スピーカ収容部３２やスピーカ３１の備え付け作業が簡単になる。さらには、スピーカ装置を搭載した機種とスピーカ装置を搭載しない機種との複数の機種を用意する必要がなくなる。
【００６６】
また、フロントパネル本体１２とスピーカ収容部３２とが一体化されて構成されるため、デザインやインテリア面でも統一が図られたフロントパネル４を提供でき、快適な浴室空間を実現できる。
【００６７】
さらに、本実施の形態では、スピーカ３１が内蔵されたスピーカ収容部３２の内部は、密閉空間であって、しかもこのスピーカ収容部３２はフロントパネル本体１２側に設けられている。そのため、スピーカ３１から出力される音楽等が天井パネル１０２裏面に漏れるのを効果的に低減できる。これにより、スピーカ３１を直接天井パネル１０２に取り付ける場合と比較して、騒音等の問題を有効に回避できる。マンション等の集合住宅において顕著な効果を発揮する。
【００６８】
［第２の実施の形態］
以下、本発明の実施形態につき、図面を参照して説明する。なお、浴室空調装置本体２の構成は、上述した第１の実施の形態と同一であるため、共通の構成要素には同一の符号を付し、詳細な説明は省略する。
【００６９】
図８（ａ）は上述した第２の実施の形態に係る浴室空調装置１Ａの構成を示す断面図であり、図８（ｂ）は領域Ｄの拡大断面図である。図９は、スピーカ収容部３２が取り付けられたフロントパネル４の内面側の構成を示す斜視図である。
【００７０】
フロントパネル本体１２は、図８および図９に示すように、一方の面が開口され、浴室空調装置本体２の下面全体を覆うように形成された筐体であって、その長手方向の両端部はスピーカ収容部３２が配置されるスペースＳ分だけ浴室空調装置本体２の外径よりも大きく形成されている。
【００７１】
このフロントパネル本体１２は、図９に示すように、中央部付近に吹出口グリル４０ｂと吸込口グリル４０ａとが位置し、その左右両側に設けられたスペースＳにスピーカ収容部３２Ｌ，３２Ｒが位置する。スピーカ収容部３２はスピーカ３１を収容するための開口部を有する直方体状をなす筐体である。スピーカ収容部３２の下端外周面にはフロントパネル本体１２の面方向に延びるフランジ３２ｂが形成される。フランジ３２ｂとフロントパネル本体１２のそれぞれの対向する面には連結孔が穿設され、これらの連結孔にねじ１６を挿通することで、スピーカ収容部３２とフロントパネル本体１２とが合体される。
【００７２】
スピーカ収容部３２の側面部３２ａには、図８（ｂ）に示すように、一端部がスピーカ３１に接続されたケーブル線３０をフロントパネル本体１２側に引き出すための取出孔（配線用孔）３３が穿設される。この取出孔３３にケーブル線３０が封止部材１１０を介して装着されることで、スピーカ収容部３２の内部空間が完全に密閉され、スピーカ収容部３２の内部に浴室内の湿気等が入り込まないような構成となっている。
【００７３】
本実施の形態によっても、上述した第１の実施の形態と同様の作用効果を奏することができる。
【００７４】
［第３の実施の形態］
以下、本発明の実施形態につき、図面を参照して説明する。なお、浴室空調装置本体２の構成は、上述した第１の実施の形態と同一であるため、共通の構成要素には同一の符号を付し、詳細な説明は省略する。
【００７５】
図１０は、本発明の一実施形態に係る浴室空調装置１Ａの構成を示す断面図である。図１１は、浴室空調装置１Ａの構成を示す斜視図である。図１２は、便宜上フロントパネル４のフロントパネル本体１２部分を省略して浴室空調装置１Ａの下面の配線状態を示した図である。
【００７６】
スピーカ収容部３２は、図１０および図１１に示すように、その内部に収容されるスピーカ３１の浴室１０１側に露出する（剥き出しとなる）面を保護するためのカバー部材１１６を有する。カバー部材１１６は、樹脂材料からなる平板部材であって、図１０（ｂ）に示すように、スピーカ収容部３２の開口部４１よりも下端に穿設されたカバー部材用孔１１７にねじ１５を介して装着される。カバー部材１１６のスピーカ３１と対向する位置には複数の音声出力孔１１８がグリル状に穿設される。フロントパネル本体１２とカバー部材１１６との浴室１０１側の表面は、図１０および図１１に示すように、同一平面（面一）上に設けられ、平坦面を形成している。なお、カバー部材１１６とフロントパネル本体１２とは同一部材で構成しても良いし、異なる部材で構成しても良い。
【００７７】
スピーカ３１に接続されるケーブル線３０は、図１２に示すように、ファン吸込口２０ａや吹出口２０ｂを避けた経路でファンケース２３の下面に沿うようにして、固定部材３４でファンケース２３に固定される。そして、ケーブル線３０は、図１０および図１２に示すように、挿通孔３７のコネクタ３５ａに接続され（図２（ｂ）参照）、空間部１００の中継用ケーブル線１０を介して挿通孔３６のコネクタ３４ａに接続された増幅器６２に接続される（図２（ａ）参照）。
【００７８】
また、スピーカ収容部３２は、スピーカ３１を露出させる部位以外が囲われた密閉型で、ケーブル線３０は、図１０（ｂ）に示すように、防水、防湿処理されたゴムパッキン等の封止部材１１０によって被覆された状態で取出孔３３内に装着される。これにより、スピーカ収容部３２の内部に湿気等の浸入を回避できる。
【００７９】
なお、本発明の技術範囲は、上述した実施形態に限定されるものではなく、本発明の趣旨を逸脱しない範囲において、上述した実施形態に種々の変更を加えたものを含む。
【００８０】
例えば、フロントパネル本体１２の両端部のそれぞれにスピーカ３１を設けていたが、一端部に２個のスピーカ３１を併設しても良い。さらに、スピーカ３１の個数は２個に限定されず、例えば、モノラル再生の場合には１個でも良いし、５．１チャンネル再生の場合には６個のスピーカ３１を取り付けても良い。さらに、浴槽の形状や浴槽に入浴する入浴者の位置等に合わせてスピーカ３１の取付位置を設定することが好ましい。
【００８１】
また、上述した実施の形態では、スピーカ３１をスピーカ収容部３２に形成した開口部４１から嵌め込んで取り付けていたが、スピーカ収容部３２の一部に開閉蓋を設け、この開閉蓋を開閉することでスピーカ３１をスピーカ収容部３２の内部に収容しても良い。
【００８２】
さらに、スピーカ３１を制御するオーディオ用制御部６４および増幅器６２等の電子機器をスピーカ３１と共にスピーカ収容部３２内部に設置しても良い。これにより、スピーカ３１と増幅器６２等との距離が近接するため、音声信号の減衰が抑えられ、音質の向上を図ることができる。
【図面の簡単な説明】
【００８３】
【図１】本発明の一実施形態に係る浴室空調装置の構成を示す断面図である。
【図２】浴室空調装置の構成を示す斜視図である。
【図３】浴室空調装置の空間部に形成された挿通孔部分の要部拡大図である。
【図４】挿通孔部分の構成を示す分解斜視図である。
【図５】浴室空調装置の空間部に形成された挿通孔部分の要部拡大図である。
【図６】挿通孔部分の構成を示す分解斜視図である。
【図７】浴室空調装置を浴室の天井パネルに取り付けた状態を示す図である。
【図８】本発明の他の実施形態に係る浴室空調装置の構成を示す断面図である。
【図９】スピーカ収容部が取り付けられたフロントパネルを示す斜視図である。
【図１０】本発明の一実施形態に係る浴室空調装置１Ａの構成を示す断面図である。
【図１１】浴室空調装置の構成を示す斜視図である。
【図１２】浴室空調装置の下面の配線状態を示す図である。
【符号の説明】
【００８４】
１Ａ…浴室空調装置、  ２…浴室空調装置本体、  ４…フロントパネル、  １２…フロントパネル本体、  ２０ａ…吸込口、  ２０ｂ…吹出口、  ２０ｃ…排出口、  ２８…本体ケース、  ３１…スピーカ、  ３２…スピーカ収容部、  ３３…取出孔、  ４８…ケーブル線、  ８８…部材、  １０１…浴室、  １１０…封止部材、  １１６…カバー部材、  １１８…音声出力孔
【図１】
2008190765.tif 000003
【図２】
2008190765.tif 000004
【図３】
2008190765.tif 000005
【図４】
2008190765.tif 000006
【図５】
2008190765.tif 000007
【図６】
2008190765.tif 000008
【図７】
2008190765.tif 000009
【図８】
2008190765.tif 000010
【図９】
2008190765.tif 000011
【図１０】
2008190765.tif 000012
【図１１】
2008190765.tif 000013
【図１２】
2008190765.tif 000014